(57)【要約】【課題】１つ又は複数のワイヤレスＬＡＮの電波を受信し、その電波帯や電波の強弱等を判別し、その判別の結果を表示部に表示するワイヤレスＬＡＮセンサーを提供する。【解決手段】少なくとも表示部とアンテナとを有する携帯型のワイヤレスＬＡＮセンサーであり、ワイヤレスＬＡＮアクセスポイントから発信された電波の電波帯を判別する電波帯判別手段と、前記電波帯判別手段により判別された電波帯の電波の強弱を判別する電波強弱判別手段と、前記電波帯判別手段により判別された電波帯と、前記電波強弱判別手段により判別された電波の強弱とを、該ワイヤレスＬＡＮセンサーの表示部に表示する電波状況表示手段と、を備える。【選択図】  図１
2004248067.tif 000002
【特許請求の範囲】
【請求項１】
少なくとも表示部とアンテナとを有する携帯型のワイヤレスＬＡＮセンサーであり、
ワイヤレスＬＡＮアクセスポイントから発信された電波の強弱を判別する電波強弱判別手段と、
前記電波強弱判別手段により判別された電波の強弱を、該ワイヤレスＬＡＮセンサーの表示部に表示する電波強弱表示手段と、
を備えたことを特徴とするワイヤレスＬＡＮセンサー。
【請求項２】
少なくとも表示部とアンテナとを有する携帯型のワイヤレスＬＡＮセンサーであり、
ワイヤレスＬＡＮアクセスポイントから発信された電波の電波帯を判別する電波帯判別手段と、
前記電波帯判別手段により判別された電波帯の電波の強弱を判別する電波強弱判別手段と、
前記電波帯判別手段により判別された電波帯と、前記電波強弱判別手段により判別された電波の強弱とを、該ワイヤレスＬＡＮセンサーの表示部に表示する電波状況表示手段と、
を備えたことを特徴とするワイヤレスＬＡＮセンサー。
【請求項３】
請求項１又は２に記載のワイヤレスＬＡＮセンサーにおいて、
前記表示部が、文字や図形等を液晶表示可能な液晶表示部であることを特徴とするワイヤレスＬＡＮセンサー。
【請求項４】
請求項１乃至３に記載のワイヤレスＬＡＮセンサーにおいて、
更に、前記ワイヤレスＬＡＮアクセスポイントにおけるデータ伝送スピードを測定するデータ伝送スピード測定手段と、
前記データ伝送スピード測定手段により測定された前記ワイヤレスＬＡＮアクセスポイントにおけるデータ伝送スピードを前記表示部に表示するデータ伝送スピード表示手段と、
を備えたことを特徴とするワイヤレスＬＡＮセンサー。
【請求項５】
請求項１乃至４に記載のワイヤレスＬＡＮセンサーにおいて、
該ワイヤレスＬＡＮセンサーが、パーソナルコンピュータのカードスロットに差込可能なＰＣカードタイプであることを特徴とするワイヤレスＬＡＮセンサー。
【請求項６】
請求項１乃至４に記載のワイヤレスＬＡＮセンサーにおいて、
該ワイヤレスＬＡＮセンサーが、パーソナルコンピュータのＵＳＢポートに接続可能なＵＳＢポートタイプであることを特徴とするワイヤレスＬＡＮセンサー。
【請求項７】
請求項５又は６に記載のワイヤレスＬＡＮセンサーにおいて、
該ワイヤレスＬＡＮセンサーが、更に、ワイヤレスＬＡＮに接続可能なワイヤレスＬＡＮアダプタの機能を有することを特徴とするワイヤレスＬＡＮセンサー。
【発明の詳細な説明】
【０００１】
【発明の属する技術分野】
本発明は、ワイヤレスＬＡＮの電波を感知するワイヤレスＬＡＮセンサーに関するものであり、特に、１つ又は複数のワイヤレスＬＡＮの電波を受信し、その電波帯や電波の強弱等を判別し、その判別の結果を表示部に表示するワイヤレスＬＡＮセンサーに関する。
【０００２】
【従来の技術】
従来、複数台のパーソナルコンピュータを所有する企業や家庭において、それらのコンピュータ資源（保存情報等）の共有（一元化）をはかる等の目的でローカル・エリア・ネットワーク（ＬＡＮ）を構築する例が周知であり（例えば、特開２０００−１９６６１２号「ローカルエリアネットワーク上の携帯型情報処理装置の監視および情報中継方法」等）、更に、近年では、ネットワークケーブルを必要としない無線ＬＡＮ（ワイヤレスＬＡＮ）が、急速に普及している。その理由は、▲１▼ＬＡＮケーブルが不要なことによる美観向上、▲２▼ケーブル切断事故の解消、▲３▼エリア内の移動が可能等の理由からであり、周知の技術としては、例えば、特開２００２−３３０１３９「無線ＬＡＮシステム」等が考えられている。
【０００３】
また、最近では、公共施設やホテルのロビーや飲食店の店内等のエリアにワイヤレスＬＡＮのアクセスポイントを設置し、その利用者に対して有償又は無償でワイヤレスＬＡＮにより接続された高速インターネット環境（ブロードバンド環境等）を提供する施設が出現してきた。
【０００４】
【発明が解決しようとする課題】
以上のような状況において、自己の携帯端末等をワイヤレスＬＡＮへ接続することを所望するワイヤレスＬＡＮの利用者は、感知装置により、その場所において提供されているワイヤレスＬＡＮの種別（電波帯等）や電波の強弱を感知し、感知結果をその感知器に装備された液晶ディスプレイ等の表示部に表示することができれば、最適なアクセス場所を判別し、快適にワイヤレスＬＡＮ環境を利用することが可能となる。
【０００５】
本発明は、上述のような実情に鑑みてなされたものであり、１つ又は複数のワイヤレスＬＡＮの電波を受信し、その電波帯や電波の強弱等を判別し、その判別の結果を表示部に表示するワイヤレスＬＡＮセンサーを提供することを目的とする。
【０００６】
【課題を解決するための手段】
本発明は上記目的を達成するため、請求項１に記載の発明は、少なくとも表示部とアンテナとを有する携帯型のワイヤレスＬＡＮセンサーであり、ワイヤレスＬＡＮアクセスポイントから発信された電波の強弱を判別する電波強弱判別手段と、前記電波強弱判別手段により判別された電波の強弱を、該ワイヤレスＬＡＮセンサーの表示部に表示する電波強弱表示手段と、を備えたことを特徴とする。
【０００７】
請求項２に記載の発明は、少なくとも表示部とアンテナとを有する携帯型のワイヤレスＬＡＮセンサーであり、ワイヤレスＬＡＮアクセスポイントから発信された電波の電波帯を判別する電波帯判別手段と、前記電波帯判別手段により判別された電波帯の電波の強弱を判別する電波強弱判別手段と、前記電波帯判別手段により判別された電波帯と、前記電波強弱判別手段により判別された電波の強弱とを、該ワイヤレスＬＡＮセンサーの表示部に表示する電波状況表示手段と、を備えたことを特徴とする。
【０００８】
請求項３に記載の発明は、前記表示部が、文字や図形等を液晶表示可能な液晶表示部であることを特徴とする。
【０００９】
請求項４に記載の発明は、更に、前記ワイヤレスＬＡＮアクセスポイントにおけるデータ伝送スピードを測定するデータ伝送スピード測定手段と、前記データ伝送スピード測定手段により測定された前記ワイヤレスＬＡＮアクセスポイントにおけるデータ伝送スピードを前記表示部に表示するデータ伝送スピード表示手段と、を備えたことを特徴とする。
【００１０】
請求項５に記載の発明は、該ワイヤレスＬＡＮセンサーが、パーソナルコンピュータのカードスロットに差込可能なＰＣカードタイプであることを特徴とする。
【００１１】
請求項６に記載の発明は、該ワイヤレスＬＡＮセンサーが、パーソナルコンピュータのＵＳＢポートに接続可能なＵＳＢポートタイプであることを特徴とする。
【００１２】
請求項７に記載の発明は、該ワイヤレスＬＡＮセンサーが、更に、ワイヤレスＬＡＮに接続可能なワイヤレスＬＡＮアダプタの機能を有することを特徴とする。
【００１３】
【発明の実施の形態】
本発明に係る実施の形態を図１に基づき以下に説明する。図１は、本実施の形態のワイヤレスＬＡＮセンサーの利用環境のイメージ図である。図１中、１０はワイヤレスＬＡＮセンサーであり、１１はノート型パーソナルコンピュータ等の携帯端末であり、１２はワイヤレスＬＡＮセンサー１０と携帯端末１１とを操作する利用者であり、２０はワイヤレスＬＡＮアクセスポイントである。
【００１４】
ワイヤレスＬＡＮセンサー１０はワイヤレスＬＡＮアクセスポイント２０から発信される電波を感知可能であり、利用者１２はワイヤレスＬＡＮセンサー１０が感知し判別し、その表示部に表示した判別結果に基づきノート型パーソナルコンピュータ等の携帯端末１１をその携帯端末に装着したワイヤレスＬＡＮアダプタ等のワイヤレスＬＡＮへ携帯端末等を接続するために必要な接続ユニットを介してワイヤレスＬＡＮアクセスポイント２０に接続し、そのワイヤレスＬＡＮアクセスポイント２０に接続された他のパーソナルコンピュータやプリンタ等の端末装置やインターネット等の通信回線を介して接続されたＷｅｂサーバー等と通信を行なうことが可能である。
【００１５】
次に、ワイヤレスＬＡＮセンサー１０の構成について、図２の概略ブロック図に基づいて説明する。ワイヤレスＬＡＮセンサー１０は、ワイヤレスＬＡＮセンサー１０の全体を制御する制御部１０１と、各種情報を表示する表示部１０２と、ワイヤレスＬＡＮアクセスポイント２０からの電波を受信可能なアンテナ１０３と、各種データを記憶する記憶部１０４と、各種演算を行なうＣＰＵ１０５と、判別した電波の強弱等を音声等により出力するスピーカー１０６と、ワイヤレスＬＡＮセンサー１０の各部に電源を供給するためのバッテリー１０７とを備えている。
【００１６】
表示部１０２には、文字や図形等の各種情報を液晶表示可能な液晶表示部（液晶ディスプレイ）を用いるのが望ましい。更に、この液晶表示部（液晶ディスプレイ）には、文字や図形等の各種情報をカラー表示可能なカラー液晶表示部（カラー液晶ディスプレイ）を用いるのがより望ましい。表示部１０２にカラー液晶ディスプレイを用いることで、電波帯の種別や電波の強弱等を、色の違い等で利用者にわかりやすく表示することが可能となる。
【００１７】
また、テンキーや各種入力キーなどからなる入力部や、バッテリーのＯＮ／ＯＦＦを行なうスイッチ等や、バイブレータ機能を実現するためのモーターや、その他の機能を適宜備えて良い。
【００１８】
ワイヤレスＬＡＮセンサー１０の形状やサイズ、その他のデザインには、特に制限がなく、任意に設定して良いが、利用者１２が携帯端末１１と共に携帯し、移動する際に、その行動を阻害することのない携帯に適した形状やサイズが望ましい。すなわち、ワイヤレスＬＡＮセンサー１０は、携帯型であることが望ましい。
【００１９】
また、ワイヤレスＬＡＮセンサー１０の携帯型としての機能を向上させる目的で、ワイヤレスＬＡＮセンサー１０の本体外部に附属的にキーホルダーやストラップや吸盤やシール等の接続接着機能を付加したり、又は、ワイヤレスＬＡＮセンサー本体の形状をファッショナブルな形状（例えば、可愛い犬のデザインや人気有名キャラクタ等）にしても良い。
【００２０】
また、ワイヤレスＬＡＮセンサー１０の本体自体のデザインをパーソナルコンピュータのカードスロットに差込可能な形状（ＰＣカードタイプ）にデザインし、携帯端末１１に装着したかたちで持ち運ぶことを可能にしても良い。
【００２１】
また、ワイヤレスＬＡＮセンサー１０にパーソナルコンピュータのＵＳＢポートに接続可能な形状のＵＳＢコネクタを装備（ＵＳＢポートタイプ）し、そのワイヤレスＬＡＮセンサー１０のＵＳＢコネクタを携帯端末１１のＵＳＢポートに接続したかたちで持ち運ぶことを可能にしても良い。
【００２２】
更に、これらのＰＣカードタイプ及び／又はＵＳＢポートタイプのワイヤレスＬＡＮセンサーに、更に、ワイヤレスＬＡＮに接続可能なデータ送受信部やデータ変換部等のワイヤレスＬＡＮアダプタに必要とされる機能を付加しても良い。すなわち、ワイヤレスＬＡＮセンサー１０は、従来、携帯端末１１をワイヤレスＬＡＮへ接続するために必要であったワイヤレスＬＡＮアダプタと一体型となる。
【００２３】
本実施例のワイヤレスＬＡＮとは、無線ＬＡＮと同意語であり、１つのワイヤレスＬＡＮアクセスポイントへ１台又は複数台のワイヤレスＬＡＮアダプタを備えたパーソナルコンピュータ等の端末装置を接続ケーブルを用いることなく接続するネットワークを指し、ワイヤレスＬＡＮに接続した端末装置同士でのデータの共有を実現したり、ワイヤレスＬＡＮアクセスポイントから接続されたインターネット等の通信回線を介して接続されたＷｅｂサーバー等との高速インターネット通信（ブロードバンド）を可能とする。
【００２４】
このワイヤレスＬＡＮに用いる通信プロトコルは、現在、互換性のない複数の国際標準規格が使用されている。
【００２５】
その代表的なものに「ＩＥＥＥ８０２．１１ｂ」、「ＩＥＥＥ８０２．１１ａ」、「ＩＥＥＥ８０２．１１ｇ」等がある。
【００２６】
「ＩＥＥＥ８０２．１１ｂ」は、ＩＥＥＥ（米国電気電子技術者協会）の８０２．１１委員会により発表された規格であり、通信媒体は２．４ＧＨｚ帯の電波と規定されており、最大データ伝送スピードは理論値で１１Ｍｂｐｓ、実効値で３〜５Ｍｂｐｓ程度である。
【００２７】
「ＩＥＥＥ８０２．１１ａ」は、通信媒体は５ＧＨｚ帯（５．１５〜５．２５ＧＨｚ）の電波と規定されており、最大データ伝送スピードは理論値で５４Ｍｂｐｓ、実効値で２０Ｍｂｐｓ以上とされている。
【００２８】
「ＩＥＥＥ８０２．１１ｇ」は、通信媒体は２．４ＧＨｚ帯の電波と規定されており、最大データ伝送スピードは理論値で５４Ｍｂｐｓとされている。
【００２９】
図３〜図５は、本実施例に係るワイヤレスＬＡＮセンサーの主要な処理の流れを示した図であり、これらの図に基づいて具体的な処理の流れを説明する。
【００３０】
先ず、図３は、ワイヤレスＬＡＮセンサーが、ワイヤレスＬＡＮの電波の強弱を判別し、その判別結果を表示部に表示する際の処理の流れを示した図である。
【００３１】
先ず、ワイヤレスＬＡＮセンサー１０のアンテナ１０３によりワイヤレスＬＡＮアクセスポイント２０から発信された電波を受信する（ステップＳ３０）。
【００３２】
次に、ワイヤレスＬＡＮセンサー１０は、受信した電波の強弱を判別する電波強弱判別処理を行なう（ステップＳ３１）。
【００３３】
この電波強弱判別処理（ステップＳ３１）では、「強」、「弱」の２段階で判別を行なっても良いし、「最強」、「強」、「中」、「弱」等の４段階で判別を行なっても良いし、また、これら以外で判別を行なっても良い。
【００３４】
２段階判別の「強」、「弱」の判別基準は、「強」はワイヤレスＬＡＮの利用に適した強さの電波である、「弱」はワイヤレスＬＡＮの利用にあまり適していない（場所を移動して利用した方が良い。）強さの電波である場合とし、電波を受信できない場合はその場所でワイヤレスＬＡＮを利用することができないと設定するのが望ましい。
【００３５】
また、４段階判別の「最強」、「強」、「中」、「弱」の判別基準は、「最強」は快適にワイヤレスＬＡＮを利用できる強さの電波である、「強」は良好にワイヤレスＬＡＮを利用できる強さの電波である、「中」はまあまあ良い状態でワイヤレスＬＡＮを利用できる強さの電波である、「弱」はワイヤレスＬＡＮの利用にあまり適していない（場所を移動して利用した方が良い。）強さの電波である場合等と設定するのが望ましい。
【００３６】
この実施例で用いる「電波の強弱」とは、一般的に用いられている「電波の感度」と略同じ意のことばである。
【００３７】
この電波強弱判別処理（ステップＳ３１）により、この電波の強さが「強」であると判別されると、ワイヤレスＬＡＮセンサー１０はこの判別結果（「強」である旨のデータ）を記憶部１０４に記憶する（ステップＳ３２）。
【００３８】
一方、この電波強弱判別処理（ステップＳ３１）により、この電波の強さが「弱」であると判別されると、ワイヤレスＬＡＮセンサー１０はこの判別結果（「弱」である旨のデータ）を記憶部１０４に記憶する（ステップＳ３３）。
【００３９】
その後、ワイヤレスＬＡＮセンサー１０は、記憶部１０４に記憶された電波強弱判別処理（ステップＳ３１）の判別結果に基づき、表示部１０２に利用者１２が視覚的に電波の強弱を判別することが可能な文字（数字や記号等を含む。）や図形（例えば、「目盛り」マーク）等を表示する電波強弱表示処理を行なう（ステップＳ３４）。
【００４０】
ここでワイヤレスＬＡＮセンサー１０の表示部１０２がカラー液晶ディスプレイである場合には、そこに表示する文字や図形等の色の違い等により電波の強弱を表現させても良い。
【００４１】
また、電波強弱表示処理（ステップＳ３４）と同時に、他の方法（例えば、音声アナウンスやバイブレータ機能や発光機能や探知機風のピッチ音等）を用いて、利用者１２が電波の強弱をより判別しやすい構成にしても良い。なお、この時に用いられる表現方法（ディスプレイ表示・音声によるアナウンス・バイブレータ機能による振動・光による表現・機械的なピッチ音による表現等）の組み合わせは、任意の組み合わせで良い。
【００４２】
次に、ワイヤレスＬＡＮセンサー１０は、受信を終了するか否かの確認をする受信終了確認を行ない（ステップＳ３５）、その確認の結果がＮＯ（「引続き受信する」）の場合には、電波の受信（ステップＳ３０）を行ない、確認の結果がＹＥＳ（「受信を終了する」）の場合には、処理を終了する。
【００４３】
次に、図４は、ワイヤレスＬＡＮセンサーが、ワイヤレスＬＡＮの電波帯と電波の強弱とを判別し、それらの判別結果を表示部に表示する際の処理の流れを示した図である。
【００４４】
先ず、ワイヤレスＬＡＮセンサー１０のアンテナ１０３によりワイヤレスＬＡＮアクセスポイント２０から発信された電波を受信する（ステップＳ４０）。
【００４５】
次に、ワイヤレスＬＡＮセンサー１０は、受信した電波の電波帯を判別する電波帯判別処理を行なう（ステップＳ４１）。
【００４６】
この電波帯判別処理（ステップＳ４１）では、「２．４ＧＨｚ帯」と「５ＧＨｚ帯」の２つの電波帯の判別を行なうようにしても良いし、追加的に、又は、追加的にではなくこれら以外の電波帯の判別を行なうようにしても良い。
【００４７】
この電波帯判別処理（ステップＳ４１）により、この電波の電波帯が「２．４ＧＨｚ帯」であると判別されると、ワイヤレスＬＡＮセンサー１０はこの判別結果（「２．４ＧＨｚ帯」である旨のデータ）を記憶部１０４に記憶する（ステップＳ４２）。
【００４８】
一方、この電波帯判別処理（ステップＳ４１）により、この電波の電波帯が「５ＧＨｚ帯」であると判別されると、ワイヤレスＬＡＮセンサー１０はこの判別結果（「５ＧＨｚ帯」である旨のデータ）を記憶部１０４に記憶する（ステップＳ４３）。
【００４９】
続いて、ワイヤレスＬＡＮセンサー１０は、受信した電波の強弱を判別する電波強弱判別処理を行なう（ステップＳ４４）。
【００５０】
この電波強弱判別処理（ステップＳ４４）では、「強」、「弱」の２段階で判別を行なっても良いし、「最強」、「強」、「中」、「弱」等の４段階で判別を行なっても良いし、また、これら以外で判別を行なっても良い。
【００５１】
２段階判別の「強」、「弱」の判別基準は、「強」はワイヤレスＬＡＮの利用に適した強さの電波である、「弱」はワイヤレスＬＡＮの利用にあまり適していない（場所を移動して利用した方が良い。）強さの電波である場合とし、電波を受信できない場合はその場所でワイヤレスＬＡＮを利用することができないと設定するのが望ましい。
【００５２】
また、４段階判別の「最強」、「強」、「中」、「弱」の判別基準は、「最強」は快適にワイヤレスＬＡＮを利用できる強さの電波である、「強」は良好にワイヤレスＬＡＮを利用できる強さの電波である、「中」はまあまあ良い状態でワイヤレスＬＡＮを利用できる強さの電波である、「弱」はワイヤレスＬＡＮの利用にあまり適していない（場所を移動して利用した方が良い。）強さの電波である場合等と設定するのが望ましい。
【００５３】
この電波強弱判別処理（ステップＳ４４）により、この電波の強さが「強」であると判別されると、ワイヤレスＬＡＮセンサー１０はこの判別結果（「強」である旨のデータ）を記憶部１０４に記憶する（ステップＳ４５）。
【００５４】
一方、この電波強弱判別処理（ステップＳ４４）により、この電波の強さが「弱」であると判別されると、ワイヤレスＬＡＮセンサー１０はこの判別結果（「弱」である旨のデータ）を記憶部１０４に記憶する（ステップＳ４６）。
【００５５】
その後、ワイヤレスＬＡＮセンサー１０は、記憶部１０４に記憶された電波帯判別処理（ステップＳ４１）の判別結果と、記憶部１０４に記憶された電波強弱判別処理（ステップＳ４４）の判別結果とに基づき、表示部１０２に利用者１２が視覚的に電波帯と電波の強弱とを判別することが可能な文字（数字や記号等を含む。）や図形（例えば、「目盛り」マーク）等を表示する電波状況表示処理を行なう（ステップＳ４７）。
【００５６】
ここでワイヤレスＬＡＮセンサー１０の表示部１０２がカラー液晶ディスプレイである場合には、そこに表示する文字や図形等とその色の違い等の組み合わせを用いて電波帯と電波の強弱とを表現させても良い。例えば、電波帯を色の違い（２．４ＧＨｚ帯を「赤色」、５ＧＨｚ帯を「青色」）で表現し、電波の強弱を目盛りの数（強を「目盛り２個」、弱を「目盛り１個」）で表現しても良い。
【００５７】
また、電波状況表示処理（ステップＳ４７）と同時に、他の方法（例えば、音声アナウンスやバイブレータ機能や発光機能や探知機風のピッチ音等）を用いて、利用者１２が電波帯と電波の強弱とをより判別しやすい構成にしても良い。なお、この時に用いられる表現方法（ディスプレイ表示・音声によるアナウンス・バイブレータ機能による振動・光による表現・機械的なピッチ音による表現等）の組み合わせは、任意の組み合わせで良い。
【００５８】
次に、ワイヤレスＬＡＮセンサー１０は、受信を終了するか否かの確認をする受信終了確認を行ない（ステップＳ４８）、その確認の結果がＮＯ（「引続き受信する」）の場合には、電波の受信（ステップＳ４０）を行ない、確認の結果がＹＥＳ（「受信を終了する」）の場合には、処理を終了する。
【００５９】
次に、図５は、ワイヤレスＬＡＮセンサーが、ワイヤレスＬＡＮの電波の強弱、又は、ワイヤレスＬＡＮの電波帯と電波の強弱とを判別し、その判別結果を表示部に表示し、更に、その後、そのワイヤレスＬＡＮのデータ伝送スピードを測定し、測定したデータ伝送スピードを表示部に表示する際の処理の流れを示した図である。
【００６０】
ワイヤレスＬＡＮセンサー１０は、図４の電波状況表示処理（ステップＳ４７）の後に、受信した電波のワイヤレスＬＡＮ上のデータ伝送スピードを測定するデータ伝送スピード測定処理を行なう（ステップＳ５０）。
【００６１】
このデータ伝送スピード測定処理（ステップＳ５０）では、ｂｐｓ（ビット・パー・セカンド）の単位を用いたデータ伝送スピードの測定を行ない、ワイヤレスＬＡＮセンサー１０は、このデータ伝送スピード測定処理（ステップＳ５０）により測定されたデータ伝送スピードに関するデータを記憶部１０４に記憶する（ステップＳ５１）。
【００６２】
その後、ワイヤレスＬＡＮセンサー１０は、記憶部１０４に記憶されたデータ伝送スピードに関するデータに基づき、表示部１０２に利用者１２が視覚的に測定されたデータ伝送スピードを判別することが可能な文字（数字や記号等を含む。）や図形（例えば、「目盛り」マーク）等を表示するデータ伝送スピード表示処理を行なう（ステップＳ５２）。
【００６３】
このデータ伝送スピード表示処理（ステップＳ５２）の目的は、ワイヤレスＬＡＮのデータ伝送スピードを表示させることで、そのワイヤレスＬＡＮの利用環境を利用者１２に対して、より客観的に示すことにある。また、ここでワイヤレスＬＡＮセンサー１０の表示部１０２がカラー液晶ディスプレイである場合には、そこに表示する文字や図形等とその色の違い等の組み合わせを用いてデータ伝送スピードを表現させても良い。
【００６４】
また、データ伝送スピード表示処理（ステップＳ５２）と同時に、他の方法（例えば、音声アナウンス等）を用いて、利用者１２がデータ伝送スピードをより理解しやすい構成にしても良い。
【００６５】
次に、ワイヤレスＬＡＮセンサー１０は、受信を終了するか否かの確認をする受信終了確認を行ない（ステップＳ５３）、その確認の結果がＮＯ（「引続き受信する」）の場合には、電波の受信（ステップＳ４０）を行ない、確認の結果がＹＥＳ（「受信を終了する」）の場合には、処理を終了する。
【００６６】
また、図３の電波強弱表示処理（ステップＳ３４）の後に、上述したステップＳ５０のデータ伝送スピード測定処理からステップＳ５３の受信終了確認処理までを行ない、ステップＳ５３の確認結果がＮＯ（「引続き受信する」）の場合には、電波の受信（ステップＳ３０）へ戻る処理の流れにしても良い。（図示せず。）
【００６７】
また、図３の電波の受信（ステップＳ３０）では、受信する電波の電波帯を、予め利用者１２が選択し、ワイヤレスＬＡＮセンサー１０に装備した受信電波帯切替えスイッチ又はボタン等により切替えることが可能な構成にしても良い。
【００６８】
また、図４の電波の受信（ステップＳ４０）において、同時に複数の電波を受信可能とし、もしも、同時に複数の電波を受信した場合には、その後の処理（ステップＳ４１の電波帯判別処理からステップＳ４７の電波状況表示処理と、図５のステップＳ５０のデータ伝送スピード測定処理からステップＳ５２のデータ伝送スピード表示処理）は、受信したそれぞれの電波の各電波帯や各電波の強弱や各ネットワークのデータ伝送スピードを判別（測定を含む。）し、記憶部１０４に記憶し、表示部１０２に表示することが可能な構成にするのが望ましい。すなわち、この場合、ワイヤレスＬＡＮセンサー１０は、１つ又は複数の電波に柔軟に対応することが可能となる。
【００６９】
更に、上述のワイヤレスＬＡＮセンサー１０において、ワイヤレスＬＡＮセンサー１０が受信した電波を発信するワイヤレスＬＡＮアクセスポイント２０に接続されている端末装置の台数を判別し、判別した端末装置の台数に関するデータを記憶部１０４に記憶し、その記憶部１０４に記憶したデータを表示部１０２に表示させる処理を付しても良い。
【００７０】
また、上述のワイヤレスＬＡＮセンサー１０において、ワイヤレスＬＡＮセンサー１０が受信した電波を発信するワイヤレスＬＡＮアクセスポイント２０に接続されているインターネット等のネットワーク回線の種別（例えば、ＩＳＤＮ、ＡＤＳＬ等）を判別し、判別したネットワーク回線の種別に関するデータを記憶部１０４に記憶し、その記憶部１０４に記憶したデータを表示部１０２に表示させる処理を付しても良い。
【００７１】
以上説明した、本実施例に係るワイヤレスＬＡＮセンサーによれば、１つ又は複数のワイヤレスＬＡＮアクセスポイントから発信される電波を受信し、それぞれの電波帯や電波の強弱やデータ伝送スピード等を判別（測定を含む。）し、その判別結果を記憶部に記憶し、記憶部に記憶した判別結果を表示部に表示することにより、自己の携帯端末等をワイヤレスＬＡＮへ接続することを所望するワイヤレスＬＡＮの利用者は、このワイヤレスＬＡＮセンサーにより、その場所において提供されているワイヤレスＬＡＮの種別（電波帯等）や電波の強弱を感知し、感知結果をそのワイヤレスＬＡＮセンサーに装備された液晶ディスプレイ等の表示部に表示することができるため、最適なアクセス場所を判別し、快適にワイヤレスＬＡＮ環境を利用することが可能となる。
【００７２】
【発明の効果】
以上説明したように本発明によれば、１つ又は複数のワイヤレスＬＡＮアクセスポイントから発信される電波を受信し、それぞれの電波帯や電波の強弱等を判別し、その判別結果を記憶部に記憶し、記憶部に記憶した判別結果を表示部に表示することにより、自己の携帯端末等をワイヤレスＬＡＮへ接続することを所望するワイヤレスＬＡＮの利用者は、このワイヤレスＬＡＮセンサーにより、その場所において提供されているワイヤレスＬＡＮの種別（電波帯等）や電波の強弱を文字や図形等により確認することができるため、最適なアクセス場所を判別し、快適にワイヤレスＬＡＮ環境を利用することが可能となる。
【図面の簡単な説明】
【図１】本実施の形態のワイヤレスＬＡＮセンサーの利用環境のイメージ図である。
【図２】ワイヤレスＬＡＮセンサーの概略ブロック図である。
【図３】本実施例に係るワイヤレスＬＡＮセンサーの主要な処理の流れを示した図である。
【図４】本実施例に係るワイヤレスＬＡＮセンサーの主要な処理の流れを示した図である。
【図５】本実施例に係るワイヤレスＬＡＮセンサーの主要な処理の流れを示した図である。
【符号の説明】
１０  ワイヤレスＬＡＮセンサー
１０１  制御部
１０２  表示部
１０３  アンテナ
１０４  記憶部
１０５  ＣＰＵ
１０６  スピーカー
１０７  バッテリー
１１  パーソナルコンピュータ等の携帯端末
１２  利用者
２０  ワイヤレスＬＡＮアクセスポイント
【図１】
2004248067.tif 000003
【図２】
2004248067.tif 000004
【図３】
2004248067.tif 000005
【図４】
2004248067.tif 000006
【図５】
2004248067.tif 000007